(57)【要約】【課題】ノイズの発生、第２動作部の動作停止などを防ぎつつ、第２動作部に供給する第２の電圧を得ることを課題とする。【解決手段】外部表示灯１では、通常時に、制御部２１は、第１電池（電池Ａ）が供給する３Ｖ電圧を動力源として受信ユニットが送信する点灯指示信号（または点滅指示信号）をＲＦ部（アンテナ）２３が受信したかを監視する。その結果、かかる点灯指示信号を受信ユニットから受信すると、制御部２１は、ＬＥＤ２２に６Ｖ電圧を供給するようにスイッチ２４に対して点灯指示を出力し、これによって、ＬＥＤ２２は、直列接続された第１電池および第２電池（電池Ｂ）から供給される６Ｖ電圧によって点灯する。【選択図】        図３
2005287282.tif 000002
【特許請求の範囲】
【請求項１】
第１の電圧を供給する第１電池、当該第１電池が供給する第１の電圧によって通常時は動作する第１動作部、並びに、前記第１の電圧よりも高い第２の電圧によって動作する第２動作部を備える電子機器であって、
前記第１電池および第２動作部の間に配置され、当該第１電池に対して直列接続される第２電池と、
前記第２動作部を作動する際に、前記第１電池および第２電池の直列接続によって得られる第２の電圧を前記第２動作部に対して供給するように制御する第１電圧供給制御手段と、
を備えたことを特徴とする電子機器。
【請求項２】
前記第１電圧供給制御手段は、前記通常時において前記第１電池の電圧が低下した場合には、前記第２電池を前記第１電池への並列接続に切り替え、当該第２電池の電圧を前記第１動作部に対して供給するように制御することを特徴とする請求項１に記載の電子機器。
【請求項３】
前記第１電池又は前記第２電池の電圧を測定する電圧測定手段と、前記第１電池又は前記第２電池の電圧が所定電圧値以下である場合、前記第１電池又は前記第２電池から前記第１動作部又は前記第２動作部への電圧供給を停止する第２電圧供給手段と、を有する電圧監視手段を備えたことを特徴とする請求項１に記載の電子機器。
【請求項４】
前記電圧測定手段は、前記第１電池の電圧を測定し、前記第２電圧供給手段は、前記電圧測定手段にて測定された前記第１電池の電圧が所定電圧値以下である場合に、前記第１電池から前記第２動作部への電圧供給を停止することを特徴とする請求項３に記載の電子機器。
【請求項５】
前記電圧監視手段は、
前記第１電池又は前記第２電池の電圧が所定電圧値より大きい場合にのみ動作する第１半導体素子と、
前記第１電池又は前記第２電池から前記第１動作部又は前記第２動作部に至る経路上に配置され、前記第１半導体素子が動作した場合にのみ動作する第２半導体素子と、
を備えたことを特徴とする請求項３又は請求項４に記載の電子機器。
【請求項６】
第１の電圧を供給する第１電池、当該第１電池が供給する第１の電圧によって通常時は監視領域を監視する監視部、並びに、当該監視部が異常を判別した異常時にのみ前記第１の電圧よりも高い第２の電圧によって警報を出力する警報部を備える警報機器であって、
前記第１電池および前記警報部の間に配置され、当該第１電池に対して直列接続される第２電池と、
前記異常時に、前記第１電池および第２電池の直列接続によって得られる第２の電圧を前記警報部に対して供給するように制御する第１電圧供給制御手段と、
を備えたことを特徴とする警報機器。
【請求項７】
前記第１電池又は前記第２電池の電圧を測定する電圧測定手段と、前記第１電池又は前記第２電池の電圧が所定電圧値以下である場合、前記第１電池又は前記第２電池から前記監視部又は前記警報部への電圧供給を停止する第２電圧供給手段と、を有する電圧監視手段を備えたことを特徴とする請求項６に記載の警報機器。
【請求項８】
前記電圧測定手段は、前記第１電池の電圧を測定し、前記第２電圧供給手段は、前記電圧測定手段にて測定された前記第１電池の電圧が所定電圧値以下である場合に、前記第１電池から前記警報部への電圧供給を停止することを特徴とする請求項７に記載の警報機器。
【請求項９】
前記電圧監視手段は、
前記第１電池又は前記第２電池の電圧が所定電圧値より大きい場合にのみ動作する第１半導体素子と、
前記第１電池又は前記第２電池から前記監視部又は前記警報部に至る経路上に配置され、前記第１半導体素子が動作した場合にのみ動作する第２半導体素子と、
を備えたことを特徴とする請求項７又は請求項８に記載の警報機器。
【請求項１０】
第１の電圧を供給する第１電池、当該第１電池が供給する第１の電圧によって通常時は監視装置と無線通信する通信部、並びに、当該通信部が前記監視装置から警報信号を受信した異常時にのみ前記第１の電圧よりも高い第２の電圧によって警報を出力する警報部を備える警報通信機器であって、
前記第１電池および警報部の間に配置され、当該第１電池に対して直列接続される第２電池と、
前記異常時に、前記第１電池および第２電池の直列接続によって得られる第２の電圧を前記警報部に対して供給するように制御する第１電圧供給制御手段と、
を備えたことを特徴とする警報通信機器。
【請求項１１】
前記第１電池又は前記第２電池の電圧を測定する電圧測定手段と、前記第１電池又は前記第２電池の電圧が所定電圧値以下である場合、前記第１電池又は前記第２電池から前記通信部又は前記警報部への電圧供給を停止する第２電圧供給手段と、を有する電圧監視手段を備えたことを特徴とする請求項１０に記載の警報通信機器。
【請求項１２】
前記電圧測定手段は、前記第１電池の電圧を測定し、前記第２電圧供給手段は、前記電圧測定手段にて測定された前記第１電池の電圧が所定電圧値以下である場合に、前記第１電池から前記警報部への電圧供給を停止することを特徴とする請求項１１に記載の警報通信機器。
【請求項１３】
前記電圧監視手段は、
前記第１電池又は前記第２電池の電圧が所定電圧値より大きい場合にのみ動作する第１半導体素子と、
前記第１電池又は前記第２電池から前記通信部又は前記警報部に至る経路上に配置され、前記第１半導体素子が動作した場合にのみ動作する第２半導体素子と、
を備えたことを特徴とする請求項１１又は請求項１２に記載の警報通信機器。
【発明の詳細な説明】
【技術分野】
【０００１】
この発明は、第１の電圧を供給する第１電池、当該第１電池が供給する第１の電圧によって通常時は動作する第１動作部、並びに、前記第１の電圧よりも高い第２の電圧によって動作する第２動作部を備える電子機器、警報機器および警報通信機器に関する。
【背景技術】
【０００２】
従来より、内蔵された電池の電圧（第１の電圧）によって通常時から動作する部位（第１動作部）だけでなく、電池電圧以上の高い電圧（第２の電圧）によって非常時にのみ動作する部位（第２動作部）をも備える電子機器が知られている。例えば、特許文献１（実開平２−３３２７８号公報）には、乾電池が内蔵され、この乾電池の電圧で火災時に発生する熱や煙を感知すると、乾電池の電圧を昇圧回路によって昇圧させ、昇圧された電圧によって圧電ブザーを鳴動させる警報器が開示されている。
【０００３】
【特許文献１】実開平２−３３２７８号公報
【発明の開示】
【発明が解決しようとする課題】
【０００４】
ところで、上記した従来の技術は、ノイズの発生、異常時動作の停止などの観点から、以下に列挙して説明するような問題点があった。
【０００５】
すなわち、上記の従来技術では、高い電圧を得るために昇圧回路を用いるが、昇圧回路はパルス的な動作で電圧を昇圧するので、ノイズが発生し易くなり、電子機器自体も誤動作を招き易いという問題点がある。特に、かかる無線通信を行う電子機器にあっては、昇圧回路によるノイズが原因で無線通信に支障が生じる事態は大きな問題点である。
【０００６】
また、上記の従来技術では、異常を判別した異常時に警報を出力する警報機器や、警報信号を受信した異常時に警報を出力する警報通信機器に適用すると、異常時になった段階で電池の消費量が急激に多くなるので、電池消耗のタイミングも早くなって警報出力動作が途中で停止するおそれがあり、異常時にこそ達成されるべき電子機器本来の目的を達成できないという問題点もある。
【０００７】
そこで、この発明は、上述した従来技術の課題を解決するためになされたものであり、ノイズの発生、第２動作部の動作停止などを防ぎつつ、第２動作部に供給する第２の電圧を得ることが可能な電子機器、警報機器および警報通信機器を提供することを目的とする。
【課題を解決するための手段】
【０００８】
上述した課題を解決し、目的を達成するため、請求項１に係る電子機器は、第１の電圧を供給する第１電池、当該第１電池が供給する第１の電圧によって通常時は動作する第１動作部、並びに、前記第１の電圧よりも高い第２の電圧によって動作する第２動作部を備える電子機器であって、前記第１電池および第２動作部の間に配置され、当該第１電池に対して直列接続される第２電池と、前記第２動作部を作動する際に、前記第１電池および第２電池の直列接続によって得られる第２の電圧を前記第２動作部に対して供給するように制御する第１電圧供給制御手段と、を備えたことを特徴とする。
【０００９】
また、請求項２に係る電子機器は、前記第１電圧供給制御手段は、前記通常時において前記第１電池の電圧が低下した場合には、前記第２電池を前記第１電池への並列接続に切り替え、当該第２電池の電圧を前記第１動作部に対して供給するように制御することを特徴とする。
【００１０】
また、請求項３に係る電子機器は、前記第１電池又は前記第２電池の電圧を測定する電圧測定手段と、前記第１電池又は前記第２電池の電圧が所定電圧値以下である場合、前記第１電池又は前記第２電池から前記第１動作部又は前記第２動作部への電圧供給を停止する第２電圧供給手段と、を有する電圧監視手段を備えたことを特徴とする。
【００１１】
また、請求項４に係る電子機器によれば、前記電圧測定手段は、前記第１電池の電圧を測定し、前記第２電圧供給手段は、前記電圧測定手段にて測定された前記第１電池の電圧が所定電圧値以下である場合に、前記第１電池から前記第２動作部への電圧供給を停止することを特徴とする。
【００１２】
また、請求項５に係る電子機器によれば、前記電圧監視手段は、前記第１電池又は前記第２電池の電圧が所定電圧値より大きい場合にのみ動作する第１半導体素子と、前記第１電池又は前記第２電池から前記第１動作部又は前記第２動作部に至る経路上に配置され、前記第１半導体素子が動作した場合にのみ動作する第２半導体素子と、を備えたことを特徴とする。
【００１３】
また、請求項６に係る警報機器は、第１の電圧を供給する第１電池、当該第１電池が供給する第１の電圧によって通常時は監視領域を監視する監視部、並びに、当該監視部が異常を判別した異常時にのみ前記第１の電圧よりも高い第２の電圧によって警報を出力する警報部を備える警報機器であって、前記第１電池および前記警報部の間に配置され、当該第１電池に対して直列接続される第２電池と、前記異常時に、前記第１電池および第２電池の直列接続によって得られる第２の電圧を前記警報部に対して供給するように制御する第１電圧供給制御手段と、を備えたことを特徴とする。
【００１４】
また、請求項７に係る警報機器は、前記第１電池又は前記第２電池の電圧を測定する電圧測定手段と、前記第１電池又は前記第２電池の電圧が所定電圧値以下である場合、前記第１電池又は前記第２電池から前記監視部又は前記警報部への電圧供給を停止する第２電圧供給手段と、を有する電圧監視手段を備えたことを特徴とする。
【００１５】
また、請求項８に係る警報機器によれば、前記電圧測定手段は、前記第１電池の電圧を測定し、前記第２電圧供給手段は、前記電圧測定手段にて測定された前記第１電池の電圧が所定電圧値以下である場合に、前記第１電池から前記警報部への電圧供給を停止することを特徴とする。
【００１６】
また、請求項９に係る警報機器によれば、前記電圧監視手段は、前記第１電池又は前記第２電池の電圧が所定電圧値より大きい場合にのみ動作する第１半導体素子と、前記第１電池又は前記第２電池から前記監視部又は前記警報部に至る経路上に配置され、前記第１半導体素子が動作した場合にのみ動作する第２半導体素子と、を備えたことを特徴とする。
【００１７】
また、請求項１０に係る警報通信機器は、第１の電圧を供給する第１電池、当該第１電池が供給する第１の電圧によって通常時は監視装置と無線通信する通信部、並びに、当該通信部が前記監視装置から警報信号を受信した異常時にのみ前記第１の電圧よりも高い第２の電圧によって警報を出力する警報部を備える警報通信機器であって、前記第１電池および警報部の間に配置され、当該第１電池に対して直列接続される第２電池と、前記異常時に、前記第１電池および第２電池の直列接続によって得られる第２の電圧を前記警報部に対して供給するように制御する第１電圧供給制御手段と、を備えたことを特徴とする。
【００１８】
また、請求項１１に係る警報通信機器は、前記第１電池又は前記第２電池の電圧を測定する電圧測定手段と、前記第１電池又は前記第２電池の電圧が所定電圧値以下である場合、前記第１電池又は前記第２電池から前記通信部又は前記警報部への電圧供給を停止する第２電圧供給手段と、を有する電圧監視手段を備えたことを特徴とする。
【００１９】
また、請求項１２に係る警報通信機器によれば、前記電圧測定手段は、前記第１電池の電圧を測定し、前記第２電圧供給手段は、前記電圧測定手段にて測定された前記第１電池の電圧が所定電圧値以下である場合に、前記第１電池から前記警報部への電圧供給を停止することを特徴とする。
【００２０】
また、請求項１３に係る警報通信機器によれば、前記電圧監視手段は、前記第１電池又は前記第２電池の電圧が所定電圧値より大きい場合にのみ動作する第１半導体素子と、前記第１電池又は前記第２電池から前記通信部又は前記警報部に至る経路上に配置され、前記第１半導体素子が動作した場合にのみ動作する第２半導体素子と、を備えたことを特徴とする。
【発明の効果】
【００２１】
請求項１，６，又は，１０の発明によれば、第１電池および第２電池を直列接続することで第２動作部に供給する第２の電圧を得るので、昇圧回路で第２の電圧を得る場合のようなノイズの発生がなく、電子機器自体の誤動作を防止することが可能になる。特に、無線通信を行う電子機器に本発明を適用した場合には、ノイズによって無線通信が妨げられる事態を防止することも可能になる。また、第１電池の電圧を昇圧回路に対して供給するのではなく、第１電池に対して第２電池を直列接続することで第２の電圧を得るので、第１動作部に供給される第１電池の電圧が第２動作部を作動する段階で急激に低下するおそれがなく、電子機器自体の機能低下や動作停止を防止することが可能になる。さらに、第１電池のみで第２動作部が動作するのではなく、第２動作部を作動する際には第１電池および第２電池で動作するので、第２動作部の動作が途中で停止するおそれが低くなり、第２動作部によって達成されるべき電子機器本来の目的を達成することが可能になる。
【００２２】
また、請求項２の発明によれば、第１電池の残量は少なくなったが、第２電池の残量には余裕があるような場合に、両者の役割を切り替えるので、電子機器自体を通常よりも長時間に渡って動作させることが可能になる。
【００２３】
また、請求項３，７，又は，１１の発明によれば、第１電池又は前記第２電池の電圧を測定する電圧測定手段と、第１電池又は第２電池の電圧が所定電圧値以下である場合、第１電池又は第２電池から第１動作部又は第２動作部への電圧供給を停止する第２電圧供給手段と、を有する電圧監視手段を備えるため、第１電池又は第２電池の電圧が所定電圧値以下であることが電圧測定手段で測定されると、第１電池又は第２電池から第２動作部又は警報部への電圧供給経路が第２電圧供給手段にて遮断される。このため、消耗した第１電池又は消耗した前記第２電池と消耗していない第１電池又は消耗していない前記第２電池との直列接続からの第２動作部への電圧供給を停止できる。
【００２４】
また、請求項４，８，又は，１２の発明によれば、電圧測定手段は、第１電池の電圧を測定し、第２電圧供給手段は、電圧測定手段にて測定された第１電池の電圧が所定電圧値以下である場合、第１電池から第２動作部（警報部）への電圧供給を停止するため、消耗した第１電池から第２動作部への電圧供給を停止することができる。
【００２５】
また、請求項５，９，又は，１３の発明によれば、電圧監視手段は、第１電池又は第２電池の電圧が所定電圧値より大きい場合にのみ動作する第１半導体素子と、第１電池又は第２電池から第１動作部又は第２動作部（監視部又は警報部）に至る経路上に配置され、第１半導体素子が動作した場合にのみ動作する第２半導体素子とを備えるため、第１電池又は第２電池の電圧が所定電圧値以下である場合には、第１半導体素子が動作せず、またこのことから第２半導体素子も動作しないので、第１電池又は第２電池から第１動作部又は第２動作部に至る経路が遮断され、これら第１動作部又は第２動作部への電圧供給が停止される。このため、消耗した第１電池又は消耗した前記第２電池と消耗していない第１電池又は消耗していない前記第２電池との直列接続からの第２動作部への電圧供給を停止できる。
【発明を実施するための最良の形態】
【００２６】
以下に添付図面を参照して、この発明に係る電子機器、警報機器および警報通信機器の実施例を詳細に説明する。なお、電子機器は、警報機器を含む概念であり、さらに、警報機器は警報通信機器を含む概念である。以下では、最初に、本発明に係る電子機器を含んだ警報システムの概要について説明した後、各実施例について説明し、最後に、各実施例に対する種々の変形例を説明する。また、各実施例の説明においては、電子機器の概要および特徴を説明した後、各実施例に係る具体例としての外部表示灯の構成および処理を説明する。
【００２７】
［監視システムの概要］
まず最初に、図１を用いて、各実施例に係る電子機器を含んだ警報システム（監視システム）の概要を説明する。図１は、かかる警報システムの全体構成を示すシステム構成図である。
【００２８】
同図に示すように、この警報システムは、警備依頼主である顧客の住宅、マンション、店舗、事務所などの監視領域に設置された受信ユニット７と、警備会社の監視センタ９とを、専用線若しくは公衆電話網やインターネット等のネットワーク８を介して通信可能に接続するとともに、かかる監視領域に同じように設置された外部表示灯１、浴室用接点送信機２、マグネットスイッチ接点送信機３、人体用センサ４、中継器５および感知器６を、受信ユニット７に対して無線通信可能に接続して構成される。
【００２９】
このうち、外部表示灯１は、監視領域の玄関外側などに設置され、受信ユニット７からの指示に応じて点灯または点滅することによって、監視領域で異常が発生した旨を周囲に報知する機器である。また、浴室用接点送信機２は、監視領域の浴室に設置され、浴室内で高齢者のアクシデント等が発生した場合などに、利用者によって押しボタンが押下されると、受信ユニット７に対して非常信号を送信する機器である。
【００３０】
マグネットスイッチ接点送信機３は、監視領域で侵入口となり得る窓や扉に取り付けられ、当該窓や扉が開かれたことを検出すると、受信ユニット７に対して非常信号を送信する機器である。また、人体用センサ４は、監視領域の玄関や居間などに設置され、設置場所に侵入した侵入者等の存在を検出すると、受信ユニット７に対して非常信号を送信する機器である。
【００３１】
感知器６は、監視領域の各部屋（例えば、台所や寝室、居間などの天井や壁）に設置され、その設置場所で発生した火災（熱または煙）を熱センサまたは煙センサによって検出すると、受信ユニット７に対して発報信号（火災信号）を送信する機器である。また、中継器５は、上記の各機器（外部表示灯１、浴室用接点送信機２、マグネットスイッチ接点送信機３、人体用センサ４および感知器６）が受信ユニット７と直接通信を行うことができない場合に、両者の通信を中継する機器である。
【００３２】
受信ユニット７（特許請求の範囲に記載の「監視装置」に対応する。）は、監視領域を統合監視する監視装置であり、上記の各機器から発報信号や非常信号を受信すると、その内容（いずれの異常が検出されたか）に応じて、自ら警報ランプの点滅や点灯、警報メッセージの音声出力を行うとともに、外部表示灯１に対して点滅または点灯を指示し、さらには、監視センタ９に対して非常信号を送信する。
【００３３】
このようにして、監視領域で発生した非常状態（火災発生、侵入者、高齢者のアクシデント等）は直ぐに監視センタ９へ伝えられ、監視センタ９に駐在する監視員は、監視領域内に火災や侵入者などの非常状態が発生しているものと判断した場合には、警備員を監視領域に急行させることによって、監視領域のセキュリティを確保している。
【実施例１】
【００３４】
［電子機器１０の概要および特徴］
続いて、図２を用いて、本実施例１に係る電子機器１０の概要および特徴を説明する。図２は、本実施例１に係る電子機器１０の概要および特徴を説明するための図である。また、図３は、本実施例１に係る具体例としての外部表示灯１の構成を示す、ブロック図である。
【００３５】
図１に示した警報システムは、各種の電子機器（外部表示灯１、浴室用接点送信機２、マグネットスイッチ接点送信機３、人体用センサ４、中継器５、感知器６、受信ユニット７）によって構成されている。この電子機器のなかには、内蔵された電池の電圧（特許請求の範囲に記載の「第１の電圧」に対応する。）によって通常時から動作する部位（同じく「第１動作部」に対応する。）だけでなく、電池電圧以上の高い電圧（同じく「第２の電圧」に対応する。）によって動作する部位（同じく「第２動作部」に対応する。）をも備えた電子機器１０（ここで、電子機器１０は、特許請求の範囲における電子機器に対応する）がある。
【００３６】
例えば、図１に例示する外部表示灯１（ここで、外部表示灯１は、特許請求の範囲における、警報器機及び警報通信機器に対応する）は、３Ｖ電圧を供給する電池、この電池が供給する３Ｖ電圧によって通常時から受信ユニット７が送信する点灯指示信号（または点滅指示信号）の受信を監視する制御部、並びに、３Ｖ電圧よりも第２の電圧（６Ｖ電圧）によって制御時にのみ点灯または点滅するＬＥＤを備えて構成される。
【００３７】
ここで、かかる外部表示灯１のように、第１の電圧を供給する第１電池、当該第１電池が供給する第１の電圧によって通常時に動作する第１動作部、並びに、第１の電圧よりも高い第２の電圧によって動作する第２動作部を備える電子機器１０においては、第２動作部を作動する際に、第２動作部に対して第２の電圧を供給する必要がある。そして、本実施例１に係る電子機器１０では、かかる第２の電圧の供給に主たる特徴があり、以下に簡単に説明するように、ノイズの発生、供給電圧の低下、第２動作部の動作停止などを防ぎつつ、第２動作部に供給する第２の電圧を得ることを可能にしている。
【００３８】
すなわち、本実施例１に係る電子機器１０は、図２に例示するように、上記したような第１動作部１１、第２動作部１２および第１電池１３に加えて、第１電池１３および第２動作部１２の間に配置されて両者に対して直列に接続される第２電池１４と、前記第２動作部を作動する際に、第１電池１３および第２電池１４の直列接続によって得られた第２の電圧を第２動作部１２に対して供給するように制御する第１電圧供給部１５とを備える。なお、第１動作部１１、第２動作部１２、第１電池１３、第２電池１４および第１電圧供給部１５は、特許請求の範囲に記載の「第１動作部、第２動作部、第１電池、第２電池および第１電圧供給制御手段」にそれぞれ対応する。
【００３９】
つまり、上記した外部表示灯１を例にすれば、通常時には、制御部は、第１電池１３が供給する３Ｖ電圧を動力源として受信ユニット７が送信する点灯指示信号（または点滅指示信号）をＲＦ部（アンテナ）２３が受信したかを監視する。その結果、かかる点灯指示信号を受信ユニット７から受信すると、制御部は、ＬＥＤに第２の電圧を供給するように第１電圧供給部１５に対して指示し、これによって、ＬＥＤは、直列接続された第１電池１３および第２電池１４から供給される６Ｖ電圧によって点灯する。
【００４０】
（効果）
このようなことから、本実施例１に係る電子機器１０によれば、第１電池１３および第２電池１４を直列接続することで第２動作部１２に供給する第２の電圧を得るので、昇圧回路で第２の電圧を得る場合のようなノイズの発生がなく、電子機器１０自体の誤動作を防止することが可能になる。特に、外部表示灯１のような無線通信を行う電子機器１０に本発明を適用した場合には、ノイズによって無線通信が妨げられる事態を防止することも可能になる。
【００４１】
また、本実施例１に係る電子機器１０によれば、第１電池１３の電圧を昇圧回路に対して供給するのではなく、第１電池１３に対して第２電池１４を直列接続することで第２の電圧を得るので、第１動作部１１に供給される第１電池１３の電圧が第２動作部を作動する段階で急激に低下するおそれがなく、電子機器１０自体の機能低下や動作停止を防止することが可能になる。
【００４２】
さらに、本実施例１に係る電子機器１０によれば、第１電池１３のみで第２動作部が動作するのではなく、第２動作部を作動する際には第１電池１３および第２電池１４で動作するので、第２動作部の動作が途中で停止するおそれが低くなり、第２動作部によってこそ達成されるべき電子機器１０本来の目的を達成することが可能になる。
【００４３】
［外部表示灯１の構成および処理］
次に、図３を用いて、本実施例１に係る外部表示灯１の構成および処理を説明する。
【００４４】
（外部表示灯１の構成）
この外部表示灯１は、同図に例示するように、３Ｖの電池Ａに対して、同じく３Ｖの電池Ｂを直列に接続し、さらに、電池Ａに対して制御部（ＣＰＵ）２１およびＲＦ部（アンテナ）２３をそれぞれ接続するとともに、電池Ｂに対してスイッチ２４およびＬＥＤ２２を順に接続して構成される（ここで、電池Ａ、電池Ｂ、制御部、スイッチ２４、及び、ＬＥＤ２２は、特許請求の範囲における、第１電池、第２電池、第１動作部、第１電圧供給制御手段、及び、第２動作部にそれぞれ対応する）。
【００４５】
このうち、電池Ａは、上記した第１電池に対応する電池であり、具体的には、３Ｖ電圧を供給するアルカリ電池やリチウム電池などが用いられる。なお、かかる電池Ａ、さらには後述する電池Ｂについては、電池残量が少なくなった場合に、後述するＬＥＤ２２を介して電圧低下警報が出力され、利用者による電池交換が促される。
【００４６】
また、電池Ｂは、上記した第２電池に対応する電池であり、電池ＡおよびＬＥＤ２２（スイッチ２４）の間に配置され、両者に対して直列に接続される。そして、電池Ｂも、第１電池である電池Ａなどと同様の３Ｖ電圧を供給するものである。つまり、第１電池と第２電池とで異なる電圧の電池を用いる必要はなく、複数の３Ｖ電池を直列に配置するというような簡易な構成を採用することができる。
【００４７】
ＬＥＤ２２は、スイッチ２４を介して供給される第２の電圧によって点灯または点滅することで、監視領域で異常が発生した旨を周囲に報知する表示灯手段であり、例えば、本実施例１では、第１電池（電池Ａ、ＢおよびＣ）が供給する３Ｖ電圧よりも第２の電圧である６Ｖ電圧で点灯または点滅する。つまり、図２に例示した第２動作部１２に対応する。
【００４８】
スイッチ２４は、直列接続された第１電池（電池Ａ）および第２電池（電池Ｂ）によって供給される第２の電圧（６Ｖ電圧）を制御部２１からの指示に応じてＬＥＤ２２に対して供給する第１電圧供給制御手段である。具体的には、制御部２１から点灯指示（または点滅指示）が入力されると、異常が発生したものとして、図３に例示する「異常時（ＯＮ）」方向にスイッチング動作することで接点を閉じ、ＬＥＤ２２に対して６Ｖ電圧を供給する。一方、制御部２１から消灯指示が入力されると、定常時であるとして、図３に例示する「定常時（ＯＦＦ）」方向にスイッチング動作することで接点を開き、ＬＥＤ２２に対する６Ｖ電圧の供給を停止する。
【００４９】
ＲＦ部（アンテナ）２３は、受信ユニット７（若しくは中継器５）から電波によって送信された点灯指示信号（または点滅指示信号）を受信するとともに、これを復調してデジタル信号に変換する無線受信回路である。
【００５０】
制御部２１は、ＯＳ（Operating System）などの制御プログラム、各種の処理手順などを規定したプログラムおよび所要データを格納するための内部メモリを有し、これらによって種々の処理を実行する処理部であり、特に本発明に密接に関連するものとしては、通信制御部２１ａと、電圧制御部２１ｂとを備える。なお、制御部２１は、例えば、本実施例１では、第１電池（電池Ａ）が供給する３Ｖ電圧で動作する。つまり、図２に例示した第１動作部１１に対応する。
【００５１】
このうち、通信制御部２１ａは、ＲＦ部（アンテナ）２３によって受信した信号の内容を判別する処理部である。具体的には、ＲＦ部（アンテナ）２３が受信ユニット７（若しくは中継器５）から信号を受信した場合に、異常時を示す点灯指示信号（または点滅指示信号）であるか、異常時の解除を示す消灯指示信号であるか等を判別する。
【００５２】
電圧制御部２１ｂは、通信制御部２１ａによって判別された信号内容に応じてＬＥＤ２２に対して供給する電圧を制御する処理部である。具体的には、判別された信号内容が点灯指示信号（または点滅指示信号）である場合には、スイッチ２４に対して点灯指示（または点滅指示）を出力して、図３に例示する「異常時（ＯＮ）」方向にスイッチング動作させる。一方、判別された信号内容が消灯指示信号である場合には、スイッチ２４に対して消灯指示を出力して、図３に例示する「定常時（ＯＦＦ）」方向にスイッチング動作させる。
【００５３】
（外部表示灯１の処理）
上記してきたような構成の外部表示灯１では、通常時に、制御部２１は、第１電池（電池Ａ）が供給する３Ｖ電圧を動力源として受信ユニット７が送信する点灯指示信号（または点滅指示信号）をＲＦ部（アンテナ）２３が受信したかを監視する。その結果、かかる点灯指示信号を受信ユニット７から受信すると、制御部２１は、異常時であるとして、ＬＥＤ２２に６Ｖ電圧を供給するようにスイッチ２４に対して点灯指示を出力し、これによって、ＬＥＤ２２は、直列接続された第１電池および第２電池（電池Ｂ）から供給される６Ｖ電圧によって点灯する。
【００５４】
（効果）
したがって、かかる外部表示灯１によれば、第１電池（電池Ａ）および第２電池（電池Ｂ）を直列接続することでＬＥＤ２２に供給する第２の電圧を得るので、昇圧回路で第２の電圧を得る場合のようなノイズの発生がなく、外部表示灯１自体の誤動作を防止することが可能になる。特に、無線通信を行う外部表示灯１においては、ノイズによって無線通信が妨げられる事態を防止することも可能になる。
【００５５】
また、第１電池（電池Ａ）の電圧を昇圧回路に対して供給するのではなく、第１電池に対して第２電池（電池Ｂ）を直列接続することで第２の電圧を得るので、制御部２１に供給される第１電池の電圧が異常時になった段階で急激に低下するおそれがなく、通信機能の低下や通信自体の停止を防止することが可能になる。
【００５６】
さらに、第１電池（電池Ａ）のみで異常時も警報出力（ＬＥＤ２２の点灯または点滅）を行うのではなく、異常時には第１電池および第２電池（電池Ｂ）で警報出力を行うので、異常時におけるＬＥＤ２２の点灯または点滅が途中で停止するおそれが低くなり、異常時にこそ達成されるべき警報という目的を達成することが可能になる。
【実施例２】
【００５７】
次に、実施例２について説明する。上述した実施例１では、第１電池１３は、第１動作部１１に対し、第１の電圧を常時（定常時及び異常時）供給する。一方、第２電池１４は、当該第２電池１４に直列接続された第１電池１３と共に、第２動作部１２に対し、第２の電圧を異常時のみ供給する。このため第１電池１３は、第２電池１４に比して、より早く消耗する。従って、上述した実施例１では、このように消耗した第１電池１３と、消耗していない第２電池１４とが直列接続される可能性がある。しかしながら、このように、異常時において消耗した第１電池１３と消耗していない第２電池１４とが直列接続されることによって、第２の電圧が第２動作部１２に対して供給されている場合、消耗した第１電池１３に逆電流が流れるという現象が生じ、第１電池１３に発熱等の不具合が生じる可能性がある。このような問題を解決するため、実施例２では、第１電池１３が消耗している場合には、異常時であっても第１電池１３と第２電池１４とを直列接続しないことを主たる特徴の一つとしている。
【００５８】
［電子機器４０の概要及び処理］
以下、図４を用いて、本実施例２に係る電子機器４０の概要および処理を説明する。図４は、本実施例２に係る電子機器４０の構成を示す、ブロック図である。
【００５９】
（電子機器４０の構成）
図４において、電子機器４０は、電圧監視部４１を備える。なお、特に説明なき構造及び処理については、上述した実施例１と同様であり、同一の構成及び処理を同一の符号を付して説明する。
【００６０】
（電圧監視部４１の構成）
電圧監視部４１は、第１電池１３を監視し、第１電池１３の電圧が所定電圧値以下である場合、第２動作部１２への電圧供給経路を遮断することにより、第２動作部１２への電圧供給を停止する電圧監視手段である。この電圧監視部４１は、電圧測定部４２と、第２電圧供給部４３とを備える。（ここで、電圧監視部４１、電圧測定部４２、及び、第２電圧供給部４３は、特許請求の範囲における、電圧監視手段、電圧測定手段、及び、第２電圧供給手段にそれぞれ対応する）。
【００６１】
このうち、電圧測定部４２は、第１電池１３の電圧を測定し、この測定した第１電池１３の電圧に基づいて第２電圧供給部４３を制御する電圧測定手段である。この電圧測定部４２は、例えば、電圧検出回路等を用いて構成され、第１電池１３に対して並列に接続されている。
【００６２】
また、第２電圧供給部４３は、電圧測定部４２の制御に基づいて、第２動作部１２への電圧供給経路を遮断することにより、第２動作部１２への電圧供給を停止する第２電圧供給手段である。本実施例において、第２電圧供給部４３は、電圧測定部４２の制御に基づいて、第２動作部１２への電圧供給経路を開閉する開閉手段として構成されており、例えば、スイッチ等を用いて構成されている。第２電圧供給部４３は、その所要機能を達し得るような位置に配置されている。具体的には、第２電圧供給部４３は、消耗した第１電池１３と消耗していない第２電池１４とが直列接続されないようにするため、第１電池１３から第２の動作部に至る経路中に配置されている。ただし、第１電池１３が消耗し、第２動作部１２への第２の電圧の供給が行われないようにする場合であっても、第１動作部１１に対して第１の電圧を供給できることが好ましい場合がある。これは、第１動作部１１は、第１電池１３の電圧が低下した場合でも、この第１電池１３から第１の電圧の供給を受けて動作を継続できる可能性があるためである。このため、本実施例においては、第２電圧供給部４３を、第１電池１３から第１動作部１１に至る経路以外に配置している。
【００６３】
（電圧監視部４１の電圧監視処理）
次に、電圧監視部４１による電圧監視処理について説明する。この電圧監視処理は、定常時又は異常時に関らず、電子機器４０の第１動作部１１の制御とは独立に行われるものである。まず、電圧監視部４１の電圧測定部４２は、第１電池１３の電圧を測定する。そして、第１電池１３が消耗し、測定した第１電池１３の電圧が所定電圧値以下になった場合、電圧測定部４２は、電圧監視部４１の第２電圧供給部４３に対し、第２動作部１２への電圧供給経路を遮断するように指示する。ここで、所定電圧値とは、第１電池１３と第２電池１４とを直列接続した場合に当該第１電池１３に不具合が生じ得るような状態における、第１電池１３の電圧値であり、又は、このような電圧値に対して所定の安全率を加味して定めた電圧値である。この電圧測定部４２からの指示を受けた第２電圧供給部４３は、第２動作部１２への電圧供給経路を遮断する。従って、異常時であっても、第２動作部１２への第２の電圧の供給が停止される。ただし、第２動作部１２への電圧供給経路を遮断した場合であっても、第１電池１３から第１動作部１１に対する第１の電圧の供給は継続される。
【００６４】
次に、この電圧監視処理を具体的数値を用いて説明する。例えば、第１電池１３の規格で定められた電圧値を３Ｖ、所定電圧値を１．９Ｖとする。また、例えば、第１動作部１１が動作する電圧は、３Ｖ以下で、かつ、１．７Ｖ以上であるものとする。このような前提において、第１電池１３が消耗し、電圧測定部４２が測定した第１電池１３の電圧が、所定電圧値である１．９Ｖになった場合、この電圧測定部４２は、電圧監視部４１の第２電圧供給部４３に対し、第２動作部１２への電圧供給経路を遮断するように指示する。この指示に基づいて、第２電圧供給部４３は第２動作部１２への電圧供給経路を遮断する。ここで、第２電圧供給部４３が第２動作部１２への電圧供給経路を遮断した場合であっても、第１動作部１１は引続き第１電池１３から第１の電圧の供給を受ける。この場合、第１電池１３の電圧が、所定電圧値である１．９Ｖ以下であっても、第１動作部１１が動作する電圧である３Ｖ以下１．７Ｖ以上であれば、第１動作部１１は引続き所定の動作を行うことができる。以上が、電圧監視部４１による電圧監視処理である。
【００６５】
（効果）
このように、本実施例２に係る電子機器４０によれば、電圧測定部４２は、常時（定常時及び異常時）第１電池１３の電圧を監視し、第１電池１３の電圧が所定電圧値以下である場合、第２電圧供給部４３は直ちに、第２動作部１２への電圧供給経路を遮断する。このため、定常時から異常時になり、第１電圧供給部１５が第２動作部１２に対して第２の電圧を供給するように動作する場合であっても、消耗した第１電池１３に対して消耗していない第２電池１４が直列に接続されることを防止し、第２動作部１２に対する第２の電圧の供給が行われないようにすることができる。その結果、消耗した第１電池１３に逆電流が流れることを防止することができ、第１電池１３に不具合が生じることを防止できる。
【００６６】
また、本実施例２に係る電子機器４０によれば、この第２電圧供給部４３は、第２動作部１２への電圧供給経路を遮断し、かつ、第１電池１３と第１動作部１１との間の電圧供給経路を遮断しないような位置に設けられている。そのため、第２動作部１２への電圧供給経路が遮断されていても、第１動作部１１は引続き第１電池１３から第１の電圧の供給を受け、所定の動作を行うことができる。
【００６７】
［外部表示灯５０の概要及び処理］
以下、図５を用いて、本実施例２に係る外部表示灯５０の概要および処理を説明する。図５は、本実施例２に係る外部表示灯５０の構成を示す、ブロック図である。
【００６８】
（外部表示灯５０の構成）
図５において、この外部表示灯５０は、電圧監視部５１を備える。なお、特に説明なき構造及び処理については、上述した実施例１と同様であり、同一の構成及び処理を同一の符号を付して説明する。
【００６９】
（電圧監視部５１の構成）
電圧監視部５１は、電池Ａの電圧を監視し、電池Ａの電圧が所定電圧値以下である場合、ＬＥＤ２２への電圧供給経路を遮断する電圧監視手段であり、電圧測定部５２と、スイッチ５３とを備える。（ここで、電圧監視部５１、電圧測定部５２、及び、スイッチ５３は、特許請求の範囲における、電圧監視手段、電圧測定手段、及び、第２電圧供給手段にそれぞれ対応する）。
【００７０】
このうち、電圧測定部５２は、電池Ａの電圧を測定し、この測定した電池Ａの電圧に基づいてスイッチ５３を制御する電圧測定手段である。この電圧測定部５２は、例えば、電圧検出回路等を用いて構成され、電池Ａに対して並列に接続されている。
【００７１】
また、スイッチ５３は、電圧測定部５２の制御に基づいて、ＬＥＤ２２への電圧供給経路を遮断することにより、ＬＥＤ２２への電圧供給を停止する第２電圧供給手段である。本実施例において、スイッチ５３は、電圧測定部５２の制御に基づいて、ＬＥＤ２２への電圧供給経路を開閉する開閉手段として構成されている。このスイッチ５３は、その所要機能を達し得るような位置に配置されている。具体的には、スイッチ５３は、消耗した電池Ａと消耗していない電池Ｂとが直列接続されないようにするため、電池Ａから第２の動作部に至る経路中に配置されている。ただし、電池Ａが消耗し、ＬＥＤ２２への第２の電圧の供給が行われないようにする場合であっても、制御部２１に対して第１の電圧を供給できることが好ましい場合があるので、本実施例においては、スイッチ５３を、電池Ａから制御部２１に至る経路以外に配置している。
【００７２】
（電圧監視部５１の電圧監視処理）
次に、電圧監視部５１による電圧監視処理について説明する。この電圧監視処理において、電圧監視部５１の電圧測定部５２は、電池Ａの電圧を測定する。そして、電池Ａが消耗し、測定した電池Ａの電圧が所定電圧値以下になった場合、電圧測定部５２は、電圧監視部５１のスイッチ５３に対し、ＬＥＤ２２への電圧供給経路を遮断するように指示する。この指示に基づいて、スイッチ５３は、「未消耗時（ＯＮ）」方向から、「消耗時（ＯＦＦ）」方向にスイッチング動作することで接点を開き、異常時であっても、ＬＥＤ２２への第２の電圧の供給を停止する。ただし、このスイッチ５３が、ＬＥＤ２２への電圧供給経路を遮断した場合であっても、電池Ａから制御部２１に対する第１の電圧の供給は継続される。
【００７３】
次に、上述した電圧監視処理の具体的数値を用いて説明する。ここで、電池Ａ及び電池Ｂの規格で定められた電圧値を、３Ｖとする。つまり、消耗していない電池Ａが、制御部２１に対して供給する第１の電圧は３Ｖであり、同様に、消耗していない電池Ａと消耗していない電池Ｂとを直列接続した場合に、ＬＥＤ２２に対して供給する第２の電圧は６Ｖである。また、所定電圧値は１．９Ｖ、制御部２１が動作する電圧は３Ｖ以下１．７Ｖ以上であるものとする。このような前提において、電池Ａが消耗し、電圧測定部５２が測定した電池Ａの電圧が所定電圧値である１．９Ｖになった場合、この電圧測定部５２は、電圧監視部５１のスイッチ５３に対し、ＬＥＤ２２への電圧供給経路を遮断するように指示する。この指示に基づいて、スイッチ５３はＬＥＤ２２への電圧供給経路を遮断する。ここで、スイッチ５３がＬＥＤ２２への第２の電圧の供給を停止した場合であっても、制御部２１は引続き電池Ａから１．９Ｖである第１の電圧の供給を受ける。この第１の電圧は、制御部２１が動作する電圧である３Ｖ以下１．７Ｖ以上であるため、制御部２１は引続き所定の動作を行うことができる。以上が、電圧監視部５１による電圧監視処理である。
【００７４】
（効果）
このように、本実施例２に係る外部表示灯５０によれば、電圧測定部５２は、常時（定常時及び異常時）電池Ａの電圧を監視し、電池Ａの電圧が所定電圧値以下になった場合、スイッチ５３は直ちにＬＥＤ２２への電圧供給経路を遮断する。このため、定常時から異常時になり、スイッチ２４が、ＬＥＤ２２に対して第２の電圧を供給するように動作する場合であっても、消耗した電池Ａに対して消耗していない電池Ｂが直列に接続されることを防止し、ＬＥＤ２２に対する第２の電圧の供給が行われないようにすることができる。その結果、消耗した電池Ａに逆電流が流れることを防止することができ、電池Ａに不具合が生じることを防止できる。
【００７５】
例えば、制御部２１が、受信ユニット７から火災発生を受信した場合、ＬＥＤ２２は第２の電圧の供給を受け、発光によってこの異常を報知する。しかし、その第２の電圧が、消耗した電池Ａと消耗していない電池Ｂとの直列接続によって供給される場合、消耗した電池Ａに逆電流が流れ、電池Ａが発熱等する可能性がある。
【００７６】
また、本実施例２に係る外部表示灯５０によれば、このスイッチ５３は、ＬＥＤ２２への電圧供給経路を遮断し、かつ、電池Ａと制御部２１との間の電圧供給経路を遮断しないような位置に設けられている。そのため、ＬＥＤ２２への電圧供給経路が遮断されていても、制御部２１は引続き電池Ａから第１の電圧の供給を受け、所定の動作を行うことができる。
【００７７】
例えば、電池Ａの電圧が所定電圧値以下になった場合、電圧監視部５１が制御部２１に対して電池Ａの消耗を報知するようにしておく。そうすると、制御部２１は、電池Ａの電圧が所定電圧値以下の場合であっても第１の電圧の供給を受けて動作し、受信ユニット７に対し、無線通信を介して電池Ａの消耗を報知することができる。それによってさらに、この受信ユニット７が監視センタ９に対し、ネットワーク８を介して電池Ａの消耗を報知することができる。そのため、監視センタ９のスタッフは、消耗した電池Ａを迅速に交換することができる。
【実施例３】
【００７８】
［外部表示灯６０の概要及び処理］
以下、図６を用いて、本実施例３に係る外部表示灯６０の概要および処理を説明する。図６は、本実施例３に係る外部表示灯６０の構成を示す、ブロック図である。
【００７９】
（外部表示灯６０の構成）
図６において、この外部表示灯６０は、電圧監視部６１，６２を備える。なお、特に説明なき構造及び処理については、上述した実施例１と同様であり、同一の構成及び処理を同一の符号を付して説明する。
【００８０】
（電圧監視部６１の構成）
電圧監視部６１は、電池Ａの電圧を監視し、電池Ａの電圧が所定電圧値以下である場合、ＬＥＤ２２への電圧供給経路を電気的に遮断することにより、ＬＥＤ２２への電圧供給を停止する電圧監視手段である。ここでは、実施例２における電圧測定部４２と第２電圧供給部４３とが一体になって構成されており、電圧監視部６１は、電池Ａの電圧が所定電圧値以下であるか否かを監視する電圧測定手段と第２電圧供給手段とを兼ねるものである（ここで、電圧監視部６１は、特許請求の範囲における、電圧監視手段、電圧測定手段、及び、第２電圧供給手段に対応する）。この電圧監視部６１は、例えば、トランジスタＴＲ１、トランジスタＴＲ２、抵抗Ｒ１、抵抗Ｒ２、及び、抵抗Ｒ３を図示のように接続して構成されている（ここで、トランジスタＴＲ１、及び、トランジスタＴＲ２は、特許請求の範囲における、第１半導体素子、及び、第２半導体素子にそれぞれ対応する）。
【００８１】
このうち、トランジスタＴＲ１及びトランジスタＴＲ２は、バイアス電圧に応じて電流のスイッチングを行う切替え手段である。そのうちトランジスタＴＲ２は、ＭＯＳＦＥＴを用いて構成されている。
【００８２】
また、抵抗Ｒ１、抵抗Ｒ２、及び、抵抗Ｒ３は、トランジスタＴＲ１及びトランジスタＴＲ２の端子間をバイアスするバイアス手段である。抵抗Ｒ１及び抵抗Ｒ２は、トランジスタＴＲ１をベースバイアスし、抵抗Ｒ３は、トランジスタＴＲ２のソース・ゲート間をバイアスする。
【００８３】
ここで、抵抗Ｒ１と抵抗Ｒ２とは直列接続されていて、この抵抗Ｒ１と抵抗Ｒ２との直列接続は、電池Ａに対して並列に接続されている。トランジスタＴＲ１のベースは、抵抗Ｒ１と抵抗Ｒ２との間に接続され、コレクタは抵抗Ｒ３を介して電池Ａのプラス側に接続され、エミッタは、電池Ａのマイナス側に接続されている。トランジスタＴＲ２のゲートは、抵抗Ｒ３とトランジスタＴＲ１のコレクタとの間に接続され、ソースは電池Ａのプラス側に接続され、ドレインは電池Ｂのマイナス側に接続されている。トランジスタＴＲ１は、ベース・エミッタ電圧、すなわち抵抗Ｒ２に印加されている電圧に応じてＯＮ状態又はＯＦＦ状態となる。また、トランジスタＴＲ２は、トランジスタＴＲ１の動作状態、つまり、ＯＮ状態又はＯＦＦ状態であるかによって、ＯＮ状態又はＯＦＦ状態になる。さらに、制御部２１は、電池Ａに対して並列に接続され、電池Ａから第１の電圧の供給を受ける。
【００８４】
（電圧監視部６２の構成）
また、電圧監視部６２は、電圧監視部６１と同様に構成されており、電池Ｂの電圧を監視し、電池Ｂの電圧が所定電圧値以下である場合、ＬＥＤ２２への電圧供給経路を電気的に遮断する電圧監視手段である。ここでは、実施例２における電圧測定部４２と第２電圧供給部４３とが一体になって構成されており、電圧監視部６２は、電池Ｂの電圧が所定電圧値以下であるか否かを監視する電圧測定手段と第２電圧供給手段とを兼ねるものである（ここで、電圧監視部６２は、特許請求の範囲における、電圧監視手段、電圧測定手段、及び、第２電圧供給手段に対応する）。この電圧監視部６２は、例えば、トランジスタＴＲ３、トランジスタＴＲ４、抵抗Ｒ４、抵抗Ｒ５、及び、抵抗Ｒ６を図示のように接続して構成されている（ここで、トランジスタＴＲ３、及び、トランジスタＴＲ４は、特許請求の範囲における、第１半導体素子、及び、第２半導体素子にそれぞれ対応する）。
【００８５】
このうち、トランジスタＴＲ３及びトランジスタＴＲ４の各々は、電圧監視部６１が備えるトランジスタＴＲ１及びトランジスタＴＲ２の各々と等価である。このトランジスタＴＲ３及びトランジスタＴＲ４は、バイアス電圧に応じて電流のスイッチングを行う切替え手段である。そのうちトランジスタＴＲ４は、ＭＯＳＦＥＴを用いて構成されている。
【００８６】
また、抵抗Ｒ４、抵抗Ｒ５、及び、抵抗Ｒ６の各々は、電圧監視部６１が備える抵抗Ｒ１、抵抗Ｒ２、及び、抵抗Ｒ３の各々と等価である。抵抗Ｒ４、抵抗Ｒ５、及び、抵抗Ｒ６は、トランジスタＴＲ３及びトランジスタＴＲ４の端子間をバイアスするバイアス手段である。抵抗Ｒ４及び抵抗Ｒ５は、トランジスタＴＲ３をベースバイアスし、抵抗Ｒ６は、トランジスタＴＲ４のソース・ゲート間をバイアスする。
【００８７】
ここで、抵抗Ｒ４と抵抗Ｒ５とは直列接続されていて、この抵抗Ｒ４と抵抗Ｒ５との直列接続は、電池Ｂに対して並列に接続されている。トランジスタＴＲ３のベースは、抵抗Ｒ４と抵抗Ｒ５との間に接続され、コレクタは抵抗Ｒ６を介して電池Ｂのプラス側に接続され、エミッタは、電池Ｂのマイナス側に接続されている。トランジスタＴＲ４のゲートは、抵抗Ｒ６とトランジスタＴＲ４のコレクタとの間に接続され、ソースは電池Ｂのプラス側に接続され、ドレインはスイッチ２４に接続されている。トランジスタＴＲ３は、ベース・エミッタ電圧、すなわち抵抗Ｒ５に印加されている電圧に応じてＯＮ状態又はＯＦＦ状態となる。また、トランジスタＴＲ４は、トランジスタＴＲ３の動作状態、つまり、ＯＮ状態又はＯＦＦ状態であるかによって、ＯＮ状態又はＯＦＦ状態になる。
【００８８】
（処理内容）
次に、このように構成された（１）電圧監視部６１による電圧監視処理、（２）電圧監視部６２による電圧監視処理、及び、（３）電圧監視部６１，６２による電圧監視処理について、それぞれ以下に説明する。なお、これらの電圧監視処理は、定常時又は異常時に関らず、外部表示灯６０の制御部２１の制御とは独立に行われる。
【００８９】
（電圧監視部６１の電圧監視処理）
まず、電圧監視部６１による電圧監視処理について、以下に説明する。電圧監視部６１において、抵抗Ｒ１及び抵抗Ｒ２の抵抗値は、それぞれｒ１及びｒ２、である。また、抵抗Ｒ２に印加されている電圧は、トランジスタＴＲ１のベース・エミッタ間をバイアスする電圧であり、その電圧値は、Ｖｒ２である。
【００９０】
電圧値Ｖｒ２は、Ｖｒ２＝電池Ａの電圧×ｒ２／（ｒ１＋ｒ２）として算定することができる。また、トランジスタＴＲ１がＯＮ状態となるベース・エミッタ電圧の電圧値は、Ｖ１ｏｎである。この電圧監視部６１は、電池Ａの供給する第１の電圧が所定電圧値より大きい場合には、電圧値Ｖｒ２が電圧値Ｖ１ｏｎ以上になるように（すなわちトランジスタＴＲ１がＯＮ状態となるように）、かつ、電池Ａの電圧が所定電圧値以下である場合には、電圧値Ｖｒ２が電圧値Ｖ１ｏｎより小さくなるように（すなわちトランジスタＴＲ１がＯＦＦ状態となるように）、設計されている。
【００９１】
また、抵抗Ｒ３には、トランジスタＴＲ１がＯＮ状態である場合にのみ（すなわち電池Ａの電圧が所定電圧値より大きい場合にのみ）、電圧が印加される。この電圧は、トランジスタＴＲ２のソース・ゲート間をバイアスする電圧である。この電圧監視部６１は、トランジスタＴＲ１がＯＮ状態である場合にのみトランジスタＴＲ２がＯＮ状態になり、かつ、トランジスタＴＲ１がＯＦＦ状態である場合にはトランジスタＴＲ２がＯＦＦ状態になるように、設計されている。
【００９２】
つまり、電池Ａの電圧が所定電圧値より大きい場合、電圧値Ｖｒ２は、電圧値Ｖ１ｏｎ以上である。従って、トランジスタＴＲ１はＯＮ状態となり、抵抗Ｒ３に電圧が印加される状態になる。そのため、トランジスタＴＲ２もＯＮ状態となる。
【００９３】
一方、電池Ａが消耗し、電池Ａの電圧が所定電圧値以下になった場合、電圧値Ｖｒ２は、電圧値Ｖ１ｏｎより小さくなる。従って、トランジスタＴＲ１はＯＦＦ状態となる。そのため、トランジスタＴＲ２はＯＦＦ状態となり、ＬＥＤ２２への電圧供給経路を電気的に遮断するので、異常時であっても、ＬＥＤ２２への第２の電圧の供給を停止する。また、この電圧監視部６１がＬＥＤ２２への電圧供給経路を電気的に遮断した場合であっても、電池Ａから制御部２１に対する第１の電圧の供給は、引続き行われている。
【００９４】
次に、上述した電圧監視部６１による電圧監視処理を具体的数値を用いて説明する。ここで、電池Ａ及び電池Ｂの規格で定められた電圧値は、３Ｖである。つまり、消耗していない電池Ａが、制御部２１に対して供給する第１の電圧は３Ｖであり、同様に、消耗していない電池Ａと消耗していない電池Ｂとを直列接続した場合に、ＬＥＤ２２に対して供給する第２の電圧は６Ｖである。また、ｒ１及びｒ２は、それぞれ３ＭΩ及び１ＭΩである。さらに、電圧値Ｖ１ｏｎは０．５Ｖである。所定電圧値は１．９Ｖ、制御部２１が動作する電圧は、３Ｖ以下１．７Ｖ以上であるものとする。
【００９５】
このような前提において、電池Ａが消耗していない場合、電池Ａの供給する第１の電圧は３Ｖである。この場合、電圧値Ｖｒ２は、電圧３Ｖ×抵抗１ＭΩ／（抵抗３ＭΩ＋抵抗１ＭΩ）＝０．７５Ｖになる。従って、電圧値Ｖｒ２は、０．５Ｖ（電圧値Ｖ１ｏｎ）以上であるため、トランジスタＴＲ１はＯＮ状態となる。さらに、トランジスタＴＲ１がＯＮ状態であるので、トランジスタＴＲ２がＯＮ状態となる。
【００９６】
一方、電池Ａが消耗していて、電池Ａの供給する第１の電圧が１．８Ｖである場合、電圧値Ｖｒ２は、電圧１．８Ｖ×抵抗１ＭΩ／（抵抗３ＭΩ＋抵抗１ＭΩ）＝０．４５Ｖになる。したがって、電圧値Ｖｒ２は、０．５Ｖ（電圧値Ｖ１ｏｎ）より小さいため、トランジスタＴＲ１はＯＦＦ状態となる。さらに、トランジスタＴＲ１がＯＦＦ状態であるので、トランジスタＴＲ２がＯＦＦ状態となる。このトランジスタＴＲ２がＯＦＦ状態であると、ＬＥＤ２２への電圧供給経路が電気的に遮断された状態になるので、ＬＥＤ２２への第２の電圧の供給は停止する。なお、ＬＥＤ２２への第２の電圧の供給が停止した状態であっても、電池Ａから制御部２１に対し、第１の電圧値である１．８Ｖの電圧の供給は引続き行われ、制御部２１は動作する。以上が、電圧監視部６１による電圧監視処理である。
【００９７】
（電圧監視部６２の電圧監視処理）
次に、電圧監視部６２による電圧監視処理について、以下に説明する。ただし、電圧監視部６２は電圧監視部６１と電気回路的にほぼ等価であり、電圧監視部６２の電圧監視処理は、電圧監視部６１による電圧監視処理とほぼ共通しており、上述した電圧監視部６１の電圧監視処理において、電池Ａ、トランジスタＴＲ１，ＴＲ２、及び、抵抗Ｒ１，Ｒ２，Ｒ３をそれぞれ電池Ｂ、トランジスタＴＲ３，ＴＲ４、及び、抵抗Ｒ４，Ｒ５，Ｒ６に読みかえればよいため、以下では特に異なる手順についてのみ説明する。
【００９８】
この電圧監視部６２による電圧監視処理は、電圧監視部６１による電圧監視処理と、以下の（１）〜（４）の点で異なる。まず、（１）電圧監視部６２の電圧監視処理における所定電圧値とは、この所定電圧値である電池Ｂと消耗していない電池Ａとを直列接続した場合、電池Ｂに不具合が生じる可能性がある電圧値、又は当該電圧値に対して所定の安全率を加味して定めた電圧値である。次に、（２）電圧監視部６２は、電池Ｂを監視する。従って、（３）抵抗Ｒ５に印加されている電圧は、電池Ａの電圧の代わりに電池Ｂの電圧を用いて算定されている。さらに、（４）電池Ｂの電圧が所定電圧値以下である場合、ＬＥＤ２２への電圧供給経路を電気的に遮断する。以上が、電圧監視部６２による電圧監視処理である
【００９９】
（電圧監視部６１，６２の電圧監視処理）
次に、外部表示灯６０が備える電圧監視部６１，６２の両方の電圧監視処理を併せて、ＬＥＤ２２への電圧供給を説明する。この外部表示灯６０において、電池Ａの電圧及び電池Ｂ電圧の両電圧のうち、いずれか１つの電圧が所定電圧値以下である場合、ＬＥＤ２２への電圧供給経路は電気的に遮断され、異常時であっても、ＬＥＤ２２への第２の電圧の供給は停止する。つまり、トランジスタＴＲ１，ＴＲ２，ＴＲ３，ＴＲ４のうち、少なくとも１つのトランジスタがＯＦＦ状態である場合、ＬＥＤ２２への電圧供給経路は電気的に遮断された状態になる。
【０１００】
（効果）
このように、本実施例３に係る外部表示灯６０によれば、電圧監視部６１は、常時（定常時及び異常時）電池Ａの電圧を監視し、電池Ａの電圧が所定電圧値以下になった場合、ＬＥＤ２２への電圧供給経路を電気的に遮断する。また、電圧監視部６２は、常時（定常時及び異常時）電池Ｂの電圧を監視し、電池Ｂの電圧が所定電圧値以下になった場合、ＬＥＤ２２への電圧供給経路を電気的に遮断する。このため、定常時から異常時になり、スイッチ２４が、ＬＥＤ２２に対して第２の電圧を供給するように動作する場合であっても、電池Ａ及び電池Ｂのうち、少なくとも一方が消耗している場合、ＬＥＤ２２への電圧供給経路は電気的に遮断された状態になる。これにより、消耗した電池と消耗していない電池とが直列に接続されることを防止し、ＬＥＤ２２に対する第２の電圧の供給が行われないようにすることができる。その結果、消耗した電池Ａ又は消耗した電池Ｂに逆電流が流れることを防止することができ、電池Ａ又は電池Ｂが破裂、発熱、又は、発火する可能性を防ぐことができる。
【０１０１】
例えば、外部表示灯６０のメンテナンスとして電池Ａ及び電池Ｂを交換するときに、サービススタッフが誤って、新しい電池の代わりに消耗した電池を電池Ｂとして設置した場合、消耗していない電池Ａと消耗した電池Ｂとが直列接続される危険性がある。本実施例３に係る外部表示灯６０によれば、電池Ａ及び電池Ｂの電圧を監視するため、消耗していない電池Ａと消耗した電池Ｂとが直列接続される可能性を防止することができる。
【０１０２】
また、本実施例３に係る外部表示灯６０によれば、この電圧監視部６１は、ＬＥＤ２２への電圧供給経路を電気的に遮断し、かつ、電池Ａと制御部２１との間の電圧供給経路を電気的に遮断しないように構成されている。そのため、ＬＥＤ２２への電圧供給経路が電気的に遮断されていても、制御部２１は引続き電池Ａから第１の電圧の供給を受け、所定の動作を行うことができる。
【実施例４】
【０１０３】
［電子機器７０の概要及び処理］
以下、図７を用いて、本実施例４に係る電子機器７０の概要および処理を説明する。図７は、本実施例４に係る電子機器７０の構成を示す、ブロック図である。
【０１０４】
（電子機器７０の構成）
図７において、この電子機器７０は、電圧監視部７１及び電圧監視部７２を備える。（ここで、電圧監視部７１は、特許請求の範囲における、電圧監視手段、電圧測定手段、及び、第２電圧供給手段に対応し、電圧監視部７２は、特許請求の範囲における、電圧監視手段、電圧測定手段、及び、第２電圧供給手段に対応する）。
また、この電子機器７０は、ヒューズＦ１、ヒューズＦ２、コンデンサＣ１、コンデンサＣ２、及び、コンデンサＣ３を備えている。なお、特に説明なき構造及び処理については、上述した実施例１と同様であり、同一の構成及び処理を同一の符号を付して説明する。
【０１０５】
ヒューズＦ１，Ｆ２は、過電流又は短絡電流等の異常電流が流れた場合、その可溶体が溶解して、電子機器７０の電子回路を遮断する、回路保護手段である。ヒューズＦ１及びヒューズＦ２は、電池Ａ及び電池Ｂに対してそれぞれ直列に配置され、ヒューズＦ１又はヒューズＦ２に過電流又は短絡電流等の異常電流が流れた場合、電池Ａ又は電池Ｂを含む電子回路を遮断する。
【０１０６】
コンデンサＣ１，Ｃ２，Ｃ３は、電子機器７０の電子回路においてノイズを低減する、ノイズ低減手段である。コンデンサＣ１，Ｃ２，Ｃ３は、トランジスタＴＲ１、ＴＲ３のエミッタとＧＮＤとの間等に、バイパスコンデンサとして設けられている。
【０１０７】
（処理内容）
次に、（１）電子機器７０による定常時及び異常時の処理、（２）電圧監視部７１の電圧監視処理、（３）電圧監視部７２の電圧監視処理、及び、（４）電圧監視部７１，７２の電圧監視処理について、それぞれ以下に説明する。なお、電圧監視部７１，７２による電圧監視処理は、定常時又は異常時に関らず、電子機器７０の第１動作部１１の制御とは独立に行われる。
【０１０８】
（電子機器７０の定常時及び異常時の処理）
電子機器７０において、第１電池は、第１動作部１１に対して、上述した第１の電圧を供給する（定常時及び異常時）。この第１動作部１１は、第２動作部１２に対して第２の電圧を供給するか否かを判断し、電圧を供給すると判断した場合（異常時）、第１電圧供給部１５に対し、第２動作部１２への第２の電圧の供給を指示する。そして、第２動作部１２は、第１電圧供給部１５によって第２の電圧が供給されると、所定の動作を行う。
【０１０９】
具体的には、例えば、第１動作部は制御手段であり、第２動作部は報知手段であるとする。制御手段である第１動作部は、通信等によって火災情報等を得た場合、報知手段である第２動作部に第２の電圧を供給すると判断し、第１電圧供給部１５に対し、報知手段である第２動作部１２への第２の電圧の供給を指示する。第２動作部１２は、第１電圧供給部１５によって第２の電圧が供給されると、所定の報知を行う。以上が、電子機器７０による、定常時及び異常時の処理である。
【０１１０】
（電圧監視部７１の電圧監視処理）
次に、電圧監視部７１による電圧監視処理について、以下に説明する。電池Ａの電圧が所定電圧値より大きい場合、抵抗Ｒ２に印加されている電圧は、トランジスタＴＲ１がＯＮ状態となる電圧以上である。従って、トランジスタＴＲ１はＯＮ状態となり、抵抗Ｒ３に電圧が印加される状態になる。そのため、トランジスタＴＲ２はＯＮ状態となり、電池Ａと電池Ｂとは直列接続されている状態になる。
【０１１１】
一方、電池Ａが消耗し、電池Ａの電圧が所定電圧値以下になった場合、抵抗Ｒ２に印加されている電圧は、トランジスタＴＲ１がＯＮ状態となる電圧より小さくなっている。従って、トランジスタＴＲ１はＯＦＦ状態となる。そのため、トランジスタＴＲ２はＯＦＦ状態となり、第２動作部への電圧供給経路は電気的に遮断された状態になる。また、第２動作部への電圧供給経路は電気的に遮断された状態であっても、電池Ａから第１動作部１１に対する第１の電圧の供給は引続き行われる。
【０１１２】
次に、上述した電圧監視部７１による電圧監視処理の具体的数値を用いて説明する。ここで、電池Ａ及び電池Ｂの規格で定められた電圧値を３Ｖとする。つまり、消耗していない電池Ａが、第１動作部１１に対して供給する第１の電圧は３Ｖであり、同様に、消耗していない電池Ａと消耗していない電池Ｂとの直列接続が、第２動作部１２に対して供給する第２の電圧は６Ｖである。また、抵抗Ｒ１及び抵抗Ｒ２の抵抗値は、それぞれ３ＭΩ及び１ＭΩである。また、トランジスタＴＲ１がＯＮ状態となるベース・エミッタ電圧は０．５Ｖである。所定電圧値は１．９Ｖ、第１動作部１１が動作する電圧は３Ｖ以下１．７Ｖ以上であるものとする。
【０１１３】
このような前提において、電池Ａが消耗していない場合、電池Ａの供給する第１の電圧は３Ｖである。この場合、抵抗Ｒ２に印加されている電圧は、当該電圧＝電池Ａの電圧×抵抗Ｒ２の抵抗値／（抵抗Ｒ２の抵抗値＋抵抗Ｒ１の抵抗値）であるので、当該電圧は０．７５Ｖになる。したがって、抵抗Ｒ２に印加されている電圧は、トランジスタＴＲ１がＯＮ状態となるベース・エミッタ電圧０．５Ｖ以上であるため、トランジスタＴＲ１はＯＮ状態となる。さらに、トランジスタＴＲ１がＯＮ状態であるので、トランジスタＴＲ２がＯＮ状態となる。
【０１１４】
一方、電池Ａが消耗していて、電池Ａの供給する第１の電圧が１．８Ｖである場合、抵抗Ｒ２に印加されている電圧は、０．４５Ｖになる。したがって、抵抗Ｒ２に印加されている電圧は、トランジスタＴＲ１がＯＮ状態となるベース・エミッタ電圧０．５Ｖより小さいため、トランジスタＴＲ１はＯＦＦ状態となる。さらに、トランジスタＴＲ１がＯＦＦ状態であるので、トランジスタＴＲ２がＯＦＦ状態となる。トランジスタＴＲ２がＯＦＦ状態であると、第２動作部１２への電圧供給経路が電気的に遮断された状態になる。しかし、第２動作部への電圧供給経路は電気的に遮断された状態であっても、電池Ａから第１動作部１１に対する第１の電圧の供給は引続き行われ、第１動作部１１は動作する。以上が、電圧監視部７１による電圧監視処理である。
【０１１５】
（電圧監視部７２の電圧監視処理）
次に、電圧監視部７２による電圧監視処理について、以下に説明する。ただし、電圧監視部７２は電圧監視部７１と等価であり、電圧監視部７２の電圧監視処理は、電圧監視部７１による電圧監視処理とほぼ共通しており、上述した電圧監視部７１の電圧監視処理において、電池Ａ、トランジスタＴＲ１，ＴＲ２、及び、抵抗Ｒ１，Ｒ２，Ｒ３をそれぞれ電池Ｂ、トランジスタＴＲ３，ＴＲ４、及び、抵抗Ｒ４，Ｒ５，Ｒ６に読みかえればよいため、以下では特に異なる手順についてのみ説明する。
【０１１６】
電圧監視部７２による電圧監視処理は、電圧監視部７１による電圧監視処理と、以下の（１）〜（４）の点で異なる。まず、（１）電圧監視部７２の電圧監視処理における所定電圧値とは、この所定電圧値である電池Ｂと消耗していない電池Ａとを直列接続した場合、電池Ｂに不具合が生じる可能性がある電圧値、又は当該電圧値に対して所定の安全率を加味して定めた電圧値である。次に、（２）電圧監視部７２は、電池Ｂを監視する。従って、（３）抵抗Ｒ５に印加されている電圧は、電池Ａの電圧の代わりに電池Ｂの電圧を用いて算定されている。さらに、（４）電池Ｂの電圧が所定電圧値以下である場合、第２動作部１２への電圧供給経路を電気的に遮断する。以上が、電圧監視部７２による電圧監視処理である。
【０１１７】
（電圧監視部７１，７２の電圧監視処理）
次に、電子機器７０が備える電圧監視部７１，７２の両方の電圧監視処理を併せて、第２動作部１２への電圧供給を説明する。この電子機器７０において、電池Ａの電圧及び電池Ｂ電圧の両電圧のうち、いずれか１つの電圧が所定電圧値以下である場合、第２動作部１２への電圧供給経路は電気的に遮断され、異常時であっても、第２動作部１２への第２の電圧の供給は停止する。つまり、トランジスタＴＲ１，ＴＲ２，ＴＲ３，ＴＲ４のうち、少なくとも１つのトランジスタがＯＦＦ状態である場合、第２動作部１２への電圧供給経路は電気的に遮断された状態になる。以上が、電圧監視部７１，７２による電圧監視処理である。
【０１１８】
（効果）
本実施例４に係る電子機器７０によれば、電圧監視部７１は、常時（定常時及び異常時）電池Ａの電圧を監視し、電池Ａの電圧が所定電圧値以下になった場合、第２動作部１２への電圧供給経路を電気的に遮断する。さらに、電圧監視部７２は、常時（定常時及び異常時）電池Ｂの電圧を監視し、電池Ｂの電圧が所定電圧値以下になった場合、第２動作部１２への電圧供給経路を電気的に遮断する。このため、定常時から異常時になり、第１電圧供給部１５が、第２動作部１２に対して第２の電圧を供給するように動作する場合であっても、電池Ａ及び電池Ｂのうち、少なくとも一方が消耗している場合、第２動作部１２への電圧供給経路は電気的に遮断された状態になる。これにより、消耗した電池と消耗していない電池とが直列に接続されることを防止し、異常時であっても、第２動作部１２に対する第２の電圧の供給が行われないようにすることができる。その結果、消耗した電池Ａ又は消耗した電池Ｂに逆電流が流れることを防止することができ、電池Ａ又は電池Ｂに不具合が生じる可能性を防ぐことができる。
【０１１９】
また、本実施例４に係る電子機器７０によれば、上述した電圧監視部７１は、第２動作部１２への電圧供給経路を電気的に遮断し、かつ、電池Ａと第１動作部１１との間の電圧供給経路を電気的に遮断しないように構成されている。そのため、第２動作部１２への電圧供給経路が電気的に遮断されていても、第１動作部１１は引続き電池Ａから第１の電圧の供給を受け、所定の動作を行うことができる。
【０１２０】
［変形例］
さて、これまで本発明の実施例１〜４について説明したが、本発明は上述した実施例１〜４以外にも、種々の異なる形態にて実施されてよいものである。そこで、以下に示すように、（１）バックアップ電源、（２）他の機器、（３）他の電池構成、（４）他の電圧供給、（５）他の機器構成等、（６）電圧監視部にそれぞれ区分けして変形例を説明する。
【０１２１】
（１）バックアップ電源
例えば、本実施例１〜４では、第２電池（電池Ａ）を異常時にのみ使用する動力源として採用する場合を説明したが、本発明はこれに限定されるものではなく、通常時において第１電池の電圧が低下した場合には、第２電池の電圧を第１動作部に対して供給するように制御することで、第２電池をいわゆるバックアップ電源としても活用してもよい。
【０１２２】
すなわち、この場合には、図８に例示する電子機器３０のように、第１電池３３と第２電池３４との間にスイッチ３６を新たに追加し、第２電池３４と第２動作部３２との間に配置されているスイッチ３５と同様、第１動作部３１はスイッチ３６のスイッチング動作を制御する。より詳細に説明すると、第１電池３３に十分な残量がある場合の通常時においては、スイッチ３５およびスイッチ３６は、いずれの方向にも閉じていない状態を維持しており、第１動作部３１に対してのみ第１電池３３から電圧が供給される。
【０１２３】
そして、かかる通常時から異常時になると、第１動作部３１は、スイッチ３５およびスイッチ３６に対して図８に例示する「異常時」方向にスイッチング動作するように指示し、これによって、直列接続された第１電池３３および第２電池３４によって供給される第２の電圧が第２動作部３２に対して供給されるようになる。
【０１２４】
また、通常時において、第１動作部３１は、第１電池３３の電圧が動作に必要な第１の電圧以下に低下しているか否かを監視し、これが第１の電圧以下に低下した場合には、スイッチ３５およびスイッチ３６に対して図８に例示する「バックアップ時」方向にスイッチング動作するように指示し、これによって、第１動作部３１に対しては第２電池３４から電圧が供給されるようになる。
【０１２５】
さらに、このように第２電池をバックアップ電源として利用している状況で、通常時から異常時になった場合には、第１動作部３１は、上記と同様、スイッチ３５およびスイッチ３６に対して図８に例示する「異常時」方向にスイッチング動作するように指示し、これによって、直列接続された第１電池３３および第２電池３４によって供給される第２の電圧が第２動作部３２に対して供給されるようになる。
【０１２６】
このように、第１電池３３の残量は少なくなったが、第２電池３４の残量には余裕があるような場合には、両者の役割を切り替えることで、電子機器３０自体を通常よりも長時間に渡って動作させることが可能になる。
【０１２７】
（２）他の機器
例えば、本実施例１〜４では、第２動作部１２としてＬＥＤ２２を備える外部表示灯１を例に挙げて説明したが、本発明はこれに限定されるものではなく、例えば、赤色ＬＥＤや白色ＬＥＤ、ランプなど、他の表示灯を第２動作部１２として備える場合でも本発明を同様に適用することができる。また、ＬＥＤやランプは必要に応じ複数用い、並列または直列に接続し表示させてもよい。
【０１２８】
また、点灯または点滅する第２動作部を備える機器に本発明は限定されるものではなく、例えば、大音量で鳴動するベルや、旋錠する電子鍵など、他の動作を行う第２動作部を備える機器であれば、本発明を同様に適用することができる。
【０１２９】
また、本実施例１〜４では、無線で通信する外部表示灯１，５０，６０を例に挙げて説明したが、本発明はこれに限定されるものではなく、有線で通信するものであっても本発明を同様に適用することができ、さらに、必ずしも通信する機器に本発明は限定されるものではない。
【０１３０】
すなわち、図２、４、７、８に例示したように、第１の電圧を供給する第１電池（電池Ａ）、当該第１電池が供給する第１の電圧によって通常時から何らかの動作を行う第１動作部、並びに、第１の電圧よりも高い第２の電圧によって非常時にのみ何らかの動作を行う動作する第２動作部を備える電子機器１０，４０，７０，３０であれば、本発明を同様に適用することができる。また、電池で駆動させるタイプの火災感知器等にも、本発明を同様に適用することができる。
【０１３１】
（３）他の電池構成
また、本実施例１〜４では、第１電池と第２電池とで同様の電池（３Ｖ電池）を使用する場合を説明したが、本発明はこれに限定されるものではなく、例えば、両者が必ずしも同一電圧の電池である必要はなく、第１電池については、第１動作部の動作に必要な電圧を供給することができる電圧（第１の電圧）であり、第２電池については、第１電池に直列接続されることで第２動作部の動作に必要な電圧（第２の電圧）を供給することができる電圧であれば十分である。
【０１３２】
また、本実施例１〜４では、一つの電池で第１電池を構成する場合を説明したが、本発明はこれに限定されるものではなく、複数の電池を並列接続して第１電池を構成するようにしてもよい。同様に、本実施例１〜４では、一つの電池で第２電池を構成する場合を説明したが、本発明はこれに限定されるものではなく、複数の電池を並列接続して第２電池を構成するようにしてもよい。
【０１３３】
さらに、本実施例１〜４では、第１電池と第２電池とを一段階で直列接続する場合を説明したが、本発明はこれに限定されるものではなく、例えば、３つの３Ｖ電池（一つが第１電池、残りの２つが第２電池）を直列接続するなど、第１電池に対して第２電池を複数段で直列接続するようにしてもよい。これによって、一層高い電圧を第２動作部に対して簡易に供給することが可能になる。また、例えば、３つの３Ｖ電池（二つが第１電池、残りの一つが第２電池）を直列接続するなど、第２電池に対して第１電池を複数段で直列接続するようにしてもよい。
【０１３４】
（４）他の電圧供給
上記の実施例１〜４では、通常時に第１電池から第１動作部に対して常に電圧を供給する場合を説明したが、本発明はこれに限定されるものではなく、かかる電圧供給を間欠的に制御するようにしてもよい。すなわち、上記した外部表示灯１を例に挙げれば、制御部２１は、通常時には、受信ユニット７と同期を取って所定の時間間隔で受信ユニット７から信号を受信し、第１電池からは、この時間間隔で制御部２１に電圧を供給するようにしてもよい。
【０１３５】
また、これと同様に、非常時における第２動作部に対する電圧供給も間欠的に制御するようにしてもよい。つまり、上記した外部表示灯１の例で言えば、ＬＥＤ２２が所定の時間間隔で点灯するように、第１電池および第２電池から電圧を供給してもよい。このような電圧の間欠的な供給を行うことで、電池消費量の低減を図ることが可能になる。
【０１３６】
（５）電圧監視部
上述のように、第１電池や第２電池を複数並列又は複数直列に設けた場合において、これら複数の電池のうち、少なくとも一部の電池の電圧を、まとめて又は個別的に監視することにしてもよい。例えば、２つの第１電池と、３つの第２電池とが直列接続されている場合、各電池の電圧を個別に監視することにしてもよいし、例えば、３つの直列接続されている第２電池の電圧をまとめて監視することにしてもよい。また、２つの第１電池と、１つの第２電池とが直列接続されている場合、各電池の電圧を個別的に監視することにしてもよいし、例えば、２つの直列接続されている第１電池の電圧をまとめて監視することにしてもよい。３つの並列接続されている第１電池と、２つの第２電池とが直列接続されている場合、各電池の電圧を個別的に監視することにしてもよいし、例えば、１つの第２電池の電圧と、３つの並列接続されている第２電池の電圧とをまとめて監視することにしてもよい。
【０１３７】
また、上述した実施例２において、第２動作部１２及びＬＥＤ２２への電圧供給経路の開閉を制御する第２電圧供給制御手段として、第２電圧供給部４３及びスイッチ５３は、第１電圧供給部１５を用いているが、第１電圧供給部及びスイッチ２４を用いることにしてもよい。
【０１３８】
さらに、上述した実施例２において、電子機器４０又は外部表示灯５０が複数の電圧監視部４１又は複数の電圧監視部５１を備えるようにした場合、複数の電圧監視部４１又は複数の電圧監視部５１は、１つの第２電圧供給部４３又は１つのスイッチ５３を共有することにしてもよい。
【０１３９】
また、上述した実施例２において、第１電池又は電池Ａの電圧が所定電圧値以下になった場合であっても、第１動作部１１又は制御部２１への第１の電圧の供給を行うようにしていた。しかしながら、この第１動作部１１又は制御部２１への第１の電圧の供給を省略できる場合、第２電圧供給部４３、スイッチ５３を、第１電池１３又は電池Ａから第２の動作部又はＬＥＤ２２に至る経路中であって、第１電池１３又は電池Ａから第１動作部１１又は制御部２１に至る経路中に配置してもよい。これによっても、消耗した第１電池を第２電池に直列接続しないという実施例２と同様の基本的効果を得ることができる。
【０１４０】
さらに、上述した実施例３及び実施例４において、電池Ａの電圧が所定電圧値以下になった場合であっても、第１動作部１１又は制御部２１への第１の電圧の供給を行うようにしていた。しかしながら、この第１動作部１１又は制御部２１への第１の電圧の供給を省略できる場合、外部表示灯６０及び電子機器７０の電気配線を変更し、トランジスタＴＲ２がＯＦＦ状態になった場合、電池Ａから第１動作部１１又は制御部２１への第１の電圧の供給も停止されるようにしてもよい。これによっても、消耗した電池Ａを電池Ｂに直列接続しないという実施例４と同様の基本的効果を得ることができる。
【０１４１】
（６）他の機器構成等
また、図２〜図８に示した機器の各構成要素は機能概念的なものであり、必ずしも物理的に図示の如く構成されていることを要しない。すなわち、各部の分散・統合の具体的形態は図示のものに限られず、その全部または一部を、各種の負荷や使用状況などに応じて、任意の単位で機能的または物理的に分散・統合して構成することができる。さらに、上記した機器にて行なわれる各処理機能は、その全部または任意の一部を、ＣＰＵおよび当該ＣＰＵにて解析実行されるプログラムにて実現することができ、あるいは、電気回路などによるハードウェアとして実現してもよい。
【０１４２】
また、上記の実施例１〜４で説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【産業上の利用可能性】
【０１４３】
以上のように、本発明に係る電子機器、警報機器および警報通信機器は、第１の電圧を供給する第１電池、当該第１電池が供給する第１の電圧によって通常時は動作する第１動作部、並びに、前記第１の電圧よりも高い第２の電圧によって動作する第２動作部を備える場合に有用であり、特に、ノイズの発生、第２動作部の動作停止などを防ぎつつ、第２動作部に供給する第２の電圧を得ることに適する。
【図面の簡単な説明】
【０１４４】
【図１】警報システムの全体構成を示すシステム構成図である。
【図２】本実施例１に係る電子機器の概要および特徴を説明するための図である。
【図３】本実施例１に係る外部表示灯の構成を示すブロック図である。
【図４】本実施例２に係る電子機器の構成を示すブロック図である。
【図５】本実施例２に係る外部表示灯の構成を示すブロック図である。
【図６】本実施例３に係る外部表示灯の構成を示すブロック図である。
【図７】本実施例４に係る電子機器の構成を示すブロック図である。
【図８】変形例に係る電子機器の構成を示すブロック図である。
【符号の説明】
【０１４５】
１，５０，６０          外部表示灯
１０，３０，４０，７０  電子機器
１１  第１動作部
１２  第２動作部
１３  第１電池
１４  第２電池
１５  第１電圧供給部
２１  制御部（ＣＰＵ）
２２  ＬＥＤ
２３  ＲＦ部（アンテナ）
２４，５３  スイッチ
４１，５１，６１，６２，７１，７２  電圧監視部
４２，５２  電圧測定部
４３        第２電圧供給部
Ｃ１，Ｃ２，Ｃ３  コンデンサ
Ｆ１，Ｆ２  ヒューズ
Ｒ１，Ｒ２，Ｒ３，Ｒ４，Ｒ５，Ｒ６  抵抗
ＴＲ１，ＴＲ２，ＴＲ３，ＴＲ４            トランジスタ
【図１】
2005287282.tif 000003
【図２】
2005287282.tif 000004
【図３】
2005287282.tif 000005
【図４】
2005287282.tif 000006
【図５】
2005287282.tif 000007
【図６】
2005287282.tif 000008
【図７】
2005287282.tif 000009
【図８】
2005287282.tif 000010